(57)【特許請求の範囲】
【請求項１】
壁に形成された非円形の壁孔に固定される配線器具取付体であって、
相対向する配線器具取付部と、前記壁孔の壁表側周縁に掛止まる掛止部と、壁表側からの操作により壁裏側周縁に当接して掛止部とともに壁を挟持する挟持部とを備え、
当該配線器具取付体は、前記両取付部を結ぶ軸線を前記壁孔内で傾動させて鉛直方向に一致させる取付角度調整のための隙間を前記壁孔の内周面と当該配線器具取付体との間に形成するように、前記壁孔よりも小さい全体形状を有しており、
壁表側から前記壁孔に前記挟持部側を挿入して前記掛止部を掛止めた状態で、前記壁孔内で、前記取付角度調整を阻害することなく前記壁孔内周面に当接して、前記壁孔内の一方へ片寄って配置されるのを規制する規制部が当該配線器具取付体の少なくとも一方側に形成された配線器具取付体。
【請求項２】
壁に形成された非円形の壁孔に固定される配線器具取付体であって、
壁表に開口する開口部を内側に形成する周壁と、相対向する配線器具取付部と、前記壁孔の壁表側周縁に掛止まる掛止部と、壁表側からの操作により壁裏側周縁に当接して掛止部とともに壁を挟持する挟持部とを備え、
壁表側から前記壁孔に前記挟持部側を挿入して前記掛止部を掛止めた状態で、前記壁孔内で、前記両取付部を結ぶ軸線を傾動させる取付角度調整を許容する調整空間を前記壁孔の内周面と当該配線器具取付体との間に形成するとともに、前記取付角度調整を阻害することなく前記壁孔内周面に当接して、前記壁孔内の一方へ片寄って配置されるのを規制する、前記周壁外面から突出した突起により構成された規制部が当該配線器具取付体の少なくとも一方側に形成された配線器具取付体。
【請求項３】
規制部が一方に対向する位置にも設けられている請求項１または２記載の配線器具取付体。
【請求項４】
挟持部は、一方側、または、前記一方側と前記一方側と対向する側とに設けられ、規制部は、挟持部が壁孔に対して片寄って配置されるのを規制する請求項１から３のいずれか記載の配線器具取付体。
【請求項５】
配線器具取付体は、壁表に開口する開口部を内側に形成する周壁を備え、この周壁に配線器具取付部と掛止部と挟持部とが設けられ、前記掛止部は外方に突出しており、前記規制部は前記周壁外面に設けられている請求項１〜４のいずれか記載の配線器具取付体。
【請求項６】
掛止部は、配線器具取付体が壁孔内で最大限傾いた場合でも、挟持部とともに壁を挟持する請求項１〜５のいずれか記載の配線器具取付体。
【請求項７】
壁孔は、半円を直線で連結した小判型であって、規制部は前記壁孔の円周部分の上下壁面のいずれか一方に当接するものである請求項１〜６のいずれか記載の配線器具取付体。
【請求項８】
壁孔に、請求項１〜７のいずれか記載の配線器具取付体を挿入し、前記配線器具取付体の取付角度調整後に、挟持部で前記配線器具取付体を前記壁孔に取り付ける配線器具取付体の取付方法。
【発明の詳細な説明】
【技術分野】
【０００１】
本発明は、壁に壁孔穿孔具で小判形や瓢箪型などの非正円形状の壁孔を明け、その壁孔に電灯スイッチ等の配線器具を設置するための配線器具取付体とその取付方法に関する。
【背景技術】
【０００２】
壁孔に配線器具を設置するための配線器具取付体については、多くのものが提案されており、特許文献１、２のようなものも提案されている。
【０００３】
特許文献１の配線器具取付体（１）（特許文献１では、「配線ボックス」と称されている。以下、各文献で用いられている符号をカッコ内に示す。）は、干渉防止部（２ａ）を備えて、通常の壁孔穿孔具で穿孔可能な瓢箪型の壁孔であっても、壁表側から、配線器具取付体（１）を挿入して壁を挟み込んで固定することができる点で優れたものである。
【０００４】
しかしながら、この瓢箪型の壁孔の上下方向が鉛直方向になっていないと、配線器具取付体も傾いてしまい、そのままで配線器具（２３）や化粧プレート（２５）を取り付けても、見映えの悪いものとなり、あるいは、壁孔の開け直しをすることとなっていて、解決が望まれていた。
【０００５】
特許文献２の配線器具取付体（１）（特許文献１では、「配線器具取付板」と称されている。）も、通常の壁孔穿孔具で穿孔可能な瓢箪型の壁孔であっても、円弧状の取付金具（３）を壁孔裏側に用いて、配線器具取付体（１）を壁表側から取りつけることができ、加えて、瓢箪型の壁孔の上下方向が鉛直方向になっていない場合でも、一定の角度範囲であれば、配線器具取付体（１）を鉛直方向に取りつけることができる。
【０００６】
しかしながら、この配線器具取付体（１）を瓢箪型の壁孔の上下位置に対して均等にして、円弧状の取付金具（３）による壁への取付が均等になるようにするには、目分量で行うしかなく、その点での改善が望まれていた。
【先行技術文献】
【特許文献】
【０００７】
【特許文献１】特開平１０−２６２３１４号公報（図１、符号１）
【特許文献１】特開平１１−８９０４１号公報（図１、図２、符号１）
【発明の概要】
【発明が解決しようとする課題】
【０００８】
本発明は、上記問題を改善しようとするもので、非円形の壁孔が鉛直方向に対して傾いて形成されている場合でも、配線器具を適正な鉛直方向に取りつけることができ、また、配線器具取付体が壁孔に均等に取付られるようにする配線器具取付体と、その取付方法とを提供することを解決課題とする。
【課題を解決するための手段】
【０００９】
本発明の配線器具取付体は、配線器具を壁に取り付ける際の、非円形の壁孔と配線器具との間に介在するものであって、鉛直に開けるべき例えば小判形の壁孔が傾いて開けられた場合でも、最終的に配線器具の上下の向きが鉛直になるようにするもので、前記壁孔に対して上下中心軸の角度調整が可能であって、そのため、壁孔と配線器具取付体との間に生じる隙間を、壁孔の一定方向（通常は上下方向）についてだけ小さくするような規制部（突起）を設けて、その一定方向への配線器具取付体の片寄りを小さくすると共に、角度調整を可能とするものであり、方向性のある、つまり、非円形の壁孔が鉛直方向に対して傾いて形成されている場合でも、配線器具を適正な鉛直方向に取りつけることができ、また、配線器具取付体が壁孔に均等に取付られるようにすることができる。
【００１０】
また、本発明の配線器具取付体において、規制部は、その両側に壁孔の内面と配線器具取付体との間に角度調整を許容する調整空間を形成する細幅の突起により構成されているようにしてもよく、その場合、角度調整が確実となる。
【００１１】
また、本発明の配線器具取付体において、規制部が一方に対向する位置にも設けられるようにしてもよく、その場合、壁孔への取付時に取付体の上下を考慮する必要がなくなり、作業性が向上する。
【００１２】
また、本発明の配線器具取付体において、一方側、または、前記一方側と前記一方側と対向する側とに設けられ、規制部は、挟持部が壁孔に対して片寄って配置されるのを規制するようにでき、その場合、挟持部で壁孔周縁を均等に挟持することができる。
【００１３】
また、本発明の配線器具取付体は、壁表に開口する開口部を内側に形成する周壁を備え、この周壁に配線器具取付部と掛止部と挟持部とが設けられ、前記掛止部は外方に突出しており、前記規制部は前記周壁外面に設けられているように構成でき、その場合、上述の効果を発揮する取付体をより容易に具現化することができる。
【００１４】
また、本発明の配線器具取付体において、掛止部は、配線器具取付体が壁孔内で最大限傾いた場合でも、挟持部とともに壁を挟持するように構成することができ、その場合、挟持部と掛止部による壁の挟持不良が生じないようにすることができる。
【００１５】
また、本発明の配線器具取付体において、壁孔は、半円を直線で連結した小判型であって、規制部は前記壁孔の円周部分の上下壁面に当接するものである構成とすることができ、通常、最もよく利用される配線器具の取付に適している。
【００１６】
また、上記本発明の配線器具取付体を用いた取付方法によれば、上記各配線器具取付体の効果を取付方法として発揮することができる。
【発明の効果】
【００１７】
上記、手段において記載された通りである。
【図面の簡単な説明】
【００１８】
【図１】本発明の配線器具取付体の一例を示すもので、（ａ）は、その正面図、（ｂ）は、その側面図、（ｃ）はその裏面図
【図２】小判形壁孔を穿孔する穿孔具で壁孔を穿孔する状態を示す斜視図
【図３】（ａ）は上下方向が鉛直方向から傾いて形成された小判形の壁孔に、その壁孔の上下中心線と図１の配線器具取付体の上下中心とが一致した状態で配線器具取付体が壁孔に挿入された状態を示す図、（ｂ）は（ａ）の状態から配線器具取付体の上下中心線を鉛直方向に一致させて角度調整が済んだ状態を示す図、（ｃ）は（ｂ）の状態のＢＢ縦断面図、（ｄ）は（ｃ）の状態から挟持部の挟持ビスをネジ回動させている状態を示す縦断面図、（ｅ）は挟持部と掛止部とによる挟持固定が完了した状態を示す縦断面図
【図４】図３（ｅ）の状態から、更に、配線器具、表面化粧パネルの取付が完了した状態を示す正面図
【図５】本発明の配線器具取付体の別例の使用態様を示すもので、（ａ）は、上下方向が鉛直方向から傾いて形成された矩形の壁孔に、その壁孔の上下中心線と別例の配線器具取付体の上下中心とが一致した状態で配線器具取付体が壁孔に挿入された状態を示す図、（ｂ）は（ａ）の状態から配線器具取付体の上下中心線を鉛直方向に一致させて角度調整が済んだ状態を示す図
【図６】（ａ）、（ｂ）は、本発明の配線器具取付体の別例の使用態様を示す正面図
【発明を実施するための形態】
【００１９】
以下に、本発明の実施の形態について、図面を用いて説明する。
【実施形態１】
【００２０】
図１は、本発明の配線器具取付体の一例を示すもので、（ａ）は、その正面図、（ｂ）は、その側面図、（ｃ）はその裏面図である。
【００２１】
この配線器具取付体１０は、規制部１と、相対向する配線器具取付部２と、壁孔の壁表側周縁に掛止まる掛止部３と、壁表側からの操作により壁裏側周縁に当接して掛止部３とともに壁を扶持する挟持部４と、を備えた基本構成で、非円形の、方向性のある壁孔の壁表側から挿入して、挟持部４を操作することで、配線器具取付体１０を壁に取りつけることができるものである。
【００２２】
この配線器具取付体１０は、上記基本構成において、壁表側から前記壁孔に挟持部４側を挿入して掛止部３を掛止めた状態で、前記壁孔内で、前記両取付部２を結ぶ軸線を傾動させる取付角度の角度調整を阻害することなく前記壁孔内周面に当接して、配線器具取付体１０が前記壁孔内の一方へ片寄って配置されるのを規制する規制部１が前記一方側に形成されたことを特徴とする。
【００２３】
また、この配線器具取付体１０においては、規制部１は、その両側に壁孔の内面と配線器具取付体１０との間に角度調整を許容する調整空間Ａ（図３（ａ）、（ｂ）参照）を形成する細幅の突起により構成されていることを特徴とする。
【００２４】
更に、この配線器具取付体１０においては、規制部１が一方に対向する位置にも設けられている点、この例では、上下に対向して一対設けられている点を特徴とする。
【００２５】
加えて、配線器具取付体１０においては、挟持部４は一方側、または、前記一方側と前記一方側と対向する側とに設けられ、規制部１は、挟持部４が壁孔に対して片寄って配置されるのを規制する点を特徴とする。
【００２６】
加えて、配線器具取付体１０は、壁表に開口する開口部５を内側に形成する周壁６を備え、この周壁６に配線器具取付部２と掛止部３と挟持部４とが設けられ、掛止部３は外方に突出しており、規制部１は周壁６の外面に設けられていることを特徴とする。
【００２７】
以下、より詳しく、この配線器具取付体１０の構成と作用効果とについて、その特徴点を中心に説明する。
【００２８】
まず、この配線器具取付体１０の全体形状は、図１（ａ）で解るように、半円と半円とを直線でつないだ小判形の壁孔ＷＨ（図２参照）より一回り小さい相似形の小判形形状の箱形となっている。
【００２９】
規制部１は、この配線器具取付体１０の小判形周壁６の上下に設けられた突起として構成されているが、これはどちらか一方だけでもよい。また、このように両方に設けられた場合でも、規制部１先端間の距離は、小判形の壁孔ＷＨの上下間間隔より小さくなっており、一方の規制部１が小判形の壁孔ＷＨの一方の円周壁に当接する場合には、他方の規制部１と他方の円周壁との間には隙間が生じるものである。
【００３０】
配線器具取付部２は、通常の配線器具取付部２と共通するもので、円錐状の開口端を備えた雌ねじ孔が形成され、配線器具ＨＫ（図４参照）をネジ止めで取り付けることができるようになっている。
【００３１】
掛止部３は、周壁６の開口部５から、壁孔の表側周縁部分の外方に突出している。この例では、小判形周壁６の壁表側に４箇所設けられているが、その形状は、この例のものに限定されず、個数も最低２箇所あれば良く、４箇所に限定されるものではない。
【００３２】
挟持部４は、ここでは示していないが、挟持用ビス４ｂ（図３参照）を貫通させる挟持用ビス孔４ａ、該挟持用ビス４ｂ、この挟持用ビス４ｂのネジ部分にネジ嵌めされた挟持片４ｃ（不図示。図３参照）、及び、この挟持片４ｃを出没可能に収容する挟持片収容部４ｄを備えている。この挟持部４の構造は公知（例えば、特許文献１）のものなので、詳しい説明は省略する。
【００３３】
小判形周壁６の奥側（開口部５の反対側）には、奥への開口を閉塞する底部７が設けられ、この底部７には、適宜、外部との貫通孔などが設けられ、また、現場で手作業で取り外すことができるノックアウト部７ａが中央位置に設けられている。ノックアウト部７ａの中心位置には、十字孔状の貫通孔である工具差し込み孔７ｂが設けられている。
【００３４】
この工具差し込み孔７ｂは、ここにドライバの先端を差し込んで、ノックアウト部７を取り外したり、また、配線器具取付体１０の中心位置を示す指標として用いることができる。なお、この底部７は、必ずしも無くとも良いものである。
【００３５】
小判形周壁６の開口部５側の円弧状部分の両端側には、周壁６の一部を切り欠いた逃がし部６ａがある。この逃がし部６ａ近傍では、周壁６の厚さも薄くなっており、この逃がし部６ａによって、この配線器具取付体１０に取りつけられる配線器具ＨＫ（図４参照）の対応する外形部分が当たらないようにしている。
【００３６】
これより、図２、３、４を用いて、この図１の配線器具取付体１０の使い方と作用効果とについて説明する。図２は、小判形壁孔を穿孔する穿孔具で壁孔を穿孔する状態を示す斜視図である。なお、以下では、すでに説明した部分については同じ符号を付して重複説明を省略する。
【００３７】
図３（ａ）は上下方向が鉛直方向から傾いて形成された小判形の壁孔に、その壁孔の上下中心線と図１の配線器具取付体の上下中心とが一致した状態で配線器具取付体が壁孔に挿入された状態を示す図、（ｂ）は（ａ）の状態から配線器具取付体の上下中心線を鉛直方向に一致させて角度調整が済んだ状態を示す図である。
【００３８】
図３（ｃ）は、図３（ｂ）の状態のＢＢ縦断面図、（ｄ）は（ｃ）の状態から挟持部の挟持ビスをネジ回動させている状態を示す縦断面図、（ｅ）は挟持部と掛止部とによる挟持固定が完了した状態を示す縦断面図であり、図４は、図３（ｅ）の状態から、更に、配線器具、表面化粧パネルの取付が完了した状態を示す正面図である。
【００３９】
まず、図２に示すように、例えば、軽量間仕切りＨで内側から支えられた壁Ｗの必要とされる部分に壁孔ＷＨを壁孔穿孔具２０で穿孔する。この壁孔穿孔具２０は、水準器１１を備え、電動ドリル３０の先端に着脱可能に取り付けて用いられるものである。
【００４０】
この壁孔穿孔具２０は、例えば、特開２０００−１０３１１９号公報に記載されたものと同様に、半円を直線で連結した小判形，つまり、非円形の壁孔ＷＨを一度に明けることができるもので、加えて、水準器１１によって、小判形壁孔ＷＨの上下方向が鉛直方向になるように開けることができるものである。
【００４１】
しかしながら、水準器１１に頼って明けた場合でも、小判形壁孔ＷＨの上下方向が鉛直方向とならずに図示するように、鉛直方向に対して傾いた方向になる場合があり、その場合に、以下に説明するように、本発明の配線器具取付体１０が威力を発揮する。
【００４２】
図３（ａ）に示すように、穿孔後の傾いた壁孔ＷＨの傾斜方向ＨＣと、配線器具取付体１０の中心線（上下一対の配線器具取付部２の中心を結ぶ線）ＢＣとを一致させた状態で、配線器具取付体１０を壁孔ＷＨに差し込む。配線器具取付体１０の周壁６は、壁孔ＷＨより一回り小さい小判形であるので、差し込みは容易である。なお、ノックアウト部７ａは壁内の配線を通過させるためにすでに取り除かれ、ノックアウト孔７ｃが形成されている。
【００４３】
この際、配線器具取付体１０には周壁６より突出している規制部１が上下に設けられており、その下方の規制部１が壁孔ＷＨの下方円周壁の壁面に当接し、その周囲に調整空間Ａを形成している。このことは、小判形壁孔ＷＨと配線器具取付体１０の周壁６との間の全周に渡って設けられた隙間に比べ、上下の規制部１と壁孔ＷＨの上下内周面との間の隙間が十分小さく、配線器具取付体１０の上下の片寄がより少なくなっている、ということでもある。
【００４４】
また、ここで上下の規制部１の内、下方の規制部１は、壁孔ＷＨの下方円周壁の壁面に当接してはいるが、上方の規制部１は、壁孔ＷＨの上方円周壁の壁面には当接しないようになっている。
【００４５】
つまり、小判形壁孔ＷＨに対する配線器具取付体１０の上下方向の片寄りを少なくするという観点からは、規制部１は、片寄りを少なくしたい一方向に一か所もうければ十分ではあるが、その場合、配線器具取付体１０を使用する際に上下などの使用方向に留意しなければならない、という煩雑さがあるので、この配線器具取付体１０では、上下に一対で規制部１を設けているのである。
【００４６】
さて、図３（ａ）の状態では、配線器具取付体１０は傾いたままなので、下方の規制部１を中心として、配線器具取付体１０の上下の中心線ＢＣが鉛直になるように角度調整した後の状態を示すのが図３（ｂ）であり、これで配線器具取付体１０の角度調整は完了し、また、上下方向の片寄りが少ない状態も維持されている。
【００４７】
その後、図３（ｃ），（ｄ）に示すように、挟持部４において、挟持用ビス４ｂを右回転させていくと、挟持片収容部４ｄに収容された挟持片４ｃが、周壁６から突出するように共回動して起き上がり、その姿勢を保ったままで、壁孔ＷＨの壁裏周縁方向へと徐々に近づき、図３（ｅ）に示すように、掛止部３と挟持片４ｃとで壁孔ＷＨの周縁部分の壁Ｗを挟み込み、配線器具取付体１０が壁孔ＷＨに鉛直状態で、上下の片寄少なく取付固定される。
【００４８】
その後、配線器具取付体１０に配線器具ＨＫを取付、更に、表面化粧パネルＫＰを設置した状態を示すのが図４である。この図４によると、壁孔ＷＨが傾いていて、配線器具取付体１０の取付角度を調整可能に隙間を設けたものの場合に、配線器具取付体１０をきちんと鉛直方向に、かつ、上下に片寄なく壁に取付でき、その結果、配線器具ＨＫと表面化粧パネルＫＰとを鉛直に、また、壁孔の上下に片寄少なく、設置することができる。
【００４９】
つまり、この配線器具取付体１０によれば、方向性のある壁孔ＷＨが鉛直方向に対して傾いて形成されている場合でも、配線器具ＨＫを適正な鉛直方向に取りつけることができ、また、配線器具取付体１０が壁孔に均等に取付られるようにすることができる。
【００５０】
また、規制部１を設けた方向と、挟持部４を設けた方向とが一致している、つまり、規制部１は、配線器具取付体１０の挟持部４が壁孔ＷＨに対し同様に上下に一対、一方側と他方側に設けられているので、規制部４の規制片４ｃが同じ当たり面積で、掛止部３とで壁孔ＷＨ周縁の壁を挟み込むようにしている。
【００５１】
また、規制部１の周りには、壁孔ＷＨとの間に調整空間Ａが形成されているので、角度調整が可能となっている。掛止部３は、配線器具取付体１０が壁孔ＷＨ内で最大限傾いた場合でも、挟持部４とともに壁を挟持するようになっているので、挟持不足ということが生じない。
【００５２】
また、このような小判形の壁孔ＷＨは、通常用いられる、上下二つあるいは三つのスイッチを設けた配線器具を取りつける場合に適しているので、そのような通常用いられる壁孔に対して、この配線器具取付体１０は、特に、上記効果を良く発揮する。
【００５３】
なお、配線器具取付体１０は、ここでは箱形のものを例示したが、本発明の配線器具取付体には、特許文献２に記載されたようなプレート形や、周壁の内、側壁部分のないものや、いろいろな形態のものであっても、規制部を設けられるものであれば含まれるものである。
【００５４】
また、壁孔穿孔具によって開けられる方向性のある非円形の壁孔の上下方向の傾きの許容度は５度とされ、この配線器具取付体１０で３度、配線器具取付体１０への配線器具ＨＫの取付により２度、角度調整可能とすることで、全体として、配線器具ＨＫの上下の鉛直性を維持している。
【実施形態２】
【００５５】
図５は、本発明の配線器具取付体の別例の使用態様を示すもので、（ａ）は、上下方向が鉛直方向から傾いて形成された矩形の壁孔に、その壁孔の上下中心線と別例の配線器具取付体の上下中心とが一致した状態で配線器具取付体が壁孔に挿入された状態を示す図、（ｂ）は（ａ）の状態から配線器具取付体の上下中心線を鉛直方向に一致させて角度調整が済んだ状態を示す図である。
【００５６】
図５（ａ）に示すように、この場合、壁孔ＷＩは矩形形状であって、やはり、その上下中心線ＨＣは鉛直方向に比べ傾いている。この矩形壁孔ＷＩに用いられる配線器具取付体１０Ａは、全体が壁孔ＷＩに比べ、一回り小さい矩形形状である。
【００５７】
この配線器具取付体１０Ａの規制部１Ａは、配線器具取付体１０Ａの上下に一対設けられ、かつ、配線器具取付体１０Ａの縦横中心とする円弧ＣＡ（図５（ｂ）参照）に一致するように突起し、矩形壁孔ＷＩの上下内面の双方に当接している点を特徴とする。
【００５８】
このような矩形壁孔ＷＩと、規制部１Ａを備えた配線器具取付体１０Ａによれば、上下の片寄りが全くない状態を維持しながら、図５（ｂ）に示すように、配線器具取付体１０Ａの上下方向を鉛直方向に一致させることができる。
【実施形態３】
【００５９】
図６（ａ）、（ｂ）は、本発明の配線器具取付体の別例の使用態様を示す正面図である。
【００６０】
図６（ａ）のものは、壁孔ＷＪが、円形用の壁孔穿孔具を用いて開けられた瓢箪形のもので、配線器具取付体１０Ｂもそれに対応した形状となっており、掛止部３Ａもその外形形状に対応したものとなっている点が、図１の配線器具取付体１０と異なっている。
【００６１】
このような配線器具取付体１０Ｂも、上下の規制部１を備えることで、図１の配線器具取付体１０と同様な効果を発揮する。
【００６２】
図６（ｂ）のものは、壁孔ＷＫが、円形用の壁孔穿孔具を用いて開けられた瓢箪形を横に並べたような形のもので、配線器具取付体１０Ｃもそれに対応した形状となっており、掛止部３Ａもその外形形状に対応したものとなっている点が、図１の配線器具取付体１０と異なっている。
【００６３】
このような配線器具取付体１０Ｃも、上下の規制部１を備えることで、図１の配線器具取付体１０と同様な効果を発揮する。
【００６４】
本発明の配線器具取付体１０〜１０Ｃによれば、実施形態のような方向性のある非正円状の壁孔内で角度調整可能に配線器具取付体よりわずかに大きな壁孔に片寄ることなく角度調整して壁孔に取付けられるため、正確な壁孔の形成を必ずしも必要としせず、現場での穿孔時の角度調整の負担が軽減される。
【００６５】
また、本発明の配線器具取付体１０〜１０Ｃによれば、形成する壁孔に対して相対的に小さい配線器具取付体であるため、壁孔への挟持部４の挿入がしやすく、壁孔内で角度調整可能であり、規制部１による片寄り規制によって、角度調整作業に集中することができる。
【００６６】
なお、上記いずれの配線器具取付体１０〜１０Ｃの場合であっても、壁孔ＷＨ〜ＷＫに、配線器具取付体１０〜１０Ｃを挿入し、配線器具取付体１０〜１０Ｃの取付角度調整後に、挟持部４で配線器具取付体１０〜１０Ｃを壁孔ＷＨ〜ＷＫに取り付けるという配線器具の取付方法を実現することができ、その方法によって、それぞれの、配線器具取付体１０〜１０Ｃの効果を、取付方法として発揮することができる。
【００６７】
なお、本発明の配線器具取付体とその取付方法は、上記の実施形態に限定されず、特許請求の範囲に記載された範囲、実施形態の範囲で、種々の変形例、組み合わせが可能であり、これらの変形例、組み合わせもその権利範囲に含むものである。
【００６８】
また、本発明の配線器具取付体とその取付方法は、壁孔が傾いている場合には、上述したように角度調整と、取付体の壁孔に対する一定方向（上下が主であるが）の片寄を少なくするものであるが、壁孔が傾いていない場合にも、もちろん、取付体の壁孔に対する一定方向の片寄を少なくする働きをするものである。
【産業上の利用可能性】
【００６９】
本発明の本発明の配線器具取付体とその取付方法は、壁に配線器具を取りつける場合で、方向性のある壁孔が鉛直方向に対して傾いて形成されている場合でも、配線器具を適正な鉛直方向に取りつけることができ、また、配線器具取付体が壁孔に均等に取付られるようにすることが要請される産業分野に用いることができる。
【符号の説明】
【００７０】
１      規制部（突起）
２      配線器具取付部
３〜３Ａ      掛止部
４      挟持部
５      開口部
６      周壁
１０〜１０Ｃ      配線器具取付体
Ｗ      壁
ＷＨ〜ＷＫ    壁孔
Ａ      調整空間
【図１】
0005432622.tif 000002
【図２】
0005432622.tif 000003
【図３】
0005432622.tif 000004
【図４】
0005432622.tif 000005
【図５】
0005432622.tif 000006
【図６】
0005432622.tif 000007